(57)【要約】【課題】  利用者の操作の利便性を向上できる画像処理装置を提供する。【解決手段】  画像形成の対象となったドキュメントに、符号画像が合成されているか否かを判断して、符号画像が合成されていると判断した場合に、画像形成装置に対して所定の制御を行う画像処理装置である。【選択図】        図１
2006087043.tif 000002
【特許請求の範囲】
【請求項１】
画像形成の対象となったドキュメントに、符号画像が合成されているか否かを判断する手段と、
符号画像が合成されていると判断した場合に、画像形成装置に対して所定の制御を行う手段と、
を含むことを特徴とする画像処理装置。
【請求項２】
請求項１に記載の画像処理装置において、
前記符号画像は、電子すかしの画像であることを特徴とする画像処理装置。
【請求項３】
請求項１または２に記載の画像処理装置において、
前記所定の制御は、画像形成装置における画像形成の解像度、ドキュメントに基づく画像データの圧縮処理、色変換処理の少なくとも一つに係る制御であることを特徴とする画像処理装置。
【請求項４】
画像形成の対象となったドキュメントに、符号画像が合成されているか否かを判断し、符号画像が合成されていると判断した場合に、画像形成装置に対して所定の制御を行わせる画像処理方法。
【請求項５】
画像形成装置に接続されたコンピュータに、
画像形成の対象となったドキュメントに、符号画像が合成されているか否かを判断する手順と、
符号画像が合成されていると判断した場合に、画像形成装置に対して所定の制御を行う手順と、
を実行させることを特徴とするプログラム。
【発明の詳細な説明】
【技術分野】
【０００１】
本発明は、電子すかし画像など、符号画像を含むドキュメントの画像形成処理に関わる画像処理装置に関する。
【背景技術】
【０００２】
近年、印刷されるドキュメントにコンピュータ可読コード（符号画像）を埋込む方法として、いわゆる「電子透かし」技術が開発されている（非特許文献１）。ここで符号画像は、例えば電子透かしの場合、ドキュメント画像の一部の濃度を制御する等の方法で形成される。このためプリンタや複合機など、画像形成装置内部で行われる画像データの圧縮処理や、色変換処理の内容によっては、当該濃度制御の結果が失われ、符号画像がデコードできなくなる場合が生じる。これは電子透かし以外の符号画像の印刷においても同様である。
【０００３】
そこで、電子透かしなどの符号画像を形成するにあたっては、符号画像がデコードできる状態で形成できるよう、利用者が画像形成装置の設定を変更してから画像形成の指示を行うようにしていた。
【非特許文献１】“電子透かし”、[online]、２００３年３月２８日、特許庁、[２００４年９月９日検索]、インターネット<URL:http://www.jpo.go.jp/shiryou/s_sonota/hyoujun_gijutsu/denshi_sukashi/>
【発明の開示】
【発明が解決しようとする課題】
【０００４】
しかしながら、この画像形成装置の設定変更操作の対象となる設定項目は一般に複数に亘るため、当該設定変更操作が煩雑になり、利便性が低い。また、変更されるべき設定項目の一部の変更を、利用者が忘れてしまうと、符号画像がデコードできなくなるばかりか、利用者にはその原因が分かりにくい。
【０００５】
本発明は上記実情に鑑みて為されたもので、利用者の操作の利便性を向上できる画像処理装置を提供することを、その目的の一つとする。
【課題を解決するための手段】
【０００６】
上記従来例の問題点を解決するための本発明は、画像処理装置であって、画像形成の対象となったドキュメントに、符号画像が合成されているか否かを判断する手段と、符号画像が合成されていると判断した場合に、画像形成装置に対して所定の制御を行う手段と、を含むことを特徴としている。ここで前記符号画像は、電子透かしの画像であることとしてもよい。
【０００７】
また、これらにおいて、前記所定の制御は、画像形成装置における画像形成の解像度、ドキュメントに基づく画像データの圧縮処理、色変換処理の少なくとも一つに係る制御であることとしてもよい。
【０００８】
さらに、本発明の一態様は、画像処理方法であって、画像形成の対象となったドキュメントに、符号画像が合成されているか否かを判断し、符号画像が合成されていると判断した場合に、画像形成装置に対して所定の制御を行わせることを特徴とする。
【０００９】
さらに本発明の別の態様に係るプログラムは、画像形成装置に接続されたコンピュータに、画像形成の対象となったドキュメントに、符号画像が合成されているか否かを判断する手順と、符号画像が合成されていると判断した場合に、画像形成装置に対して所定の制御を行う手順と、を実行させることを特徴としている。
【発明を実施するための最良の形態】
【００１０】
本発明の実施の形態について図面を参照しながら説明する。本実施の形態に係る画像処理装置１は、プリンタ等の画像形成装置２に接続されたコンピュータを用いて実現できる。具体的に、本実施の形態の画像処理装置１は、図１に示すように、制御部１１と、記憶部１２と、操作部１３と、表示部１４と、通信部１５とを含み、画像形成装置２に接続されている。
【００１１】
制御部１１は、ＣＰＵを用いて実現される。この制御部１１は、記憶部１２に格納されているプログラムに従って動作する。本実施の形態では、制御部１１は、画像形成の対象となったドキュメントに、符号画像が合成されているか否かを判断し、符号画像が合成されていると判断した場合に、画像形成装置２に対して所定の制御を行う。この制御部１１の具体的な処理の内容については後に詳しく述べる。
【００１２】
記憶部１２は、ＲＡＭ（Random Access Memory）などの記憶素子や、ハードディスクなどのディスクデバイスなど、コンピュータ可読な記録媒体を含んで構成される。この記憶部１２には、制御部１１によって実行されるプログラムが格納されている。また、この記憶部１２は、制御部１１のワークメモリとしても動作する。
【００１３】
操作部１３は、キーボードやマウスなどであり、利用者の操作を受け入れて、当該操作の内容を制御部１１に出力する。表示部１４は、ディスプレイなどであり、制御部１１から入力される指示に従って情報を表示する。通信部１５は、例えばＵＳＢ（Universal Serial Bus）ポートなどであり、画像形成装置２に接続されている。
【００１４】
次に、制御部１１の処理の内容について説明する。本実施の形態では、この制御部１１は、例えば記憶部１２に格納されているドキュメントについて、画像形成を行うべき旨の指示を、操作部１３を介して受け入れる。この指示には、画像形成装置２の設定に関する指示が含まれる。
【００１５】
具体的に、この指示は、図２に示すように、画像形成の対象となるドキュメントを特定する情報（Ａ）とともに、画像形成装置２に出力する画質設定（解像度の設定など）や、圧縮処理の可否に関する設定、色変換設定（ＲＧＢ化の可否など）、カラー・白黒の設定等、設定指示（Ｂ）が含まれる。なお、ドキュメントを特定する情報は、例えば記憶部１２内でドキュメントの格納されている場所を表すファイルパスなどの参照情報である。
【００１６】
なお、本実施の形態ではこの制御部１１が、ドキュメントに対して符号画像（例えば電子透かし画像）を合成する処理を行っておくものとする。具体的にここでは処理対象となるドキュメントへの符号画像の合成方法として、次の２つの方法のいずれかで行われるものとする。その第１は、ドキュメントに含まれるビットマップの画像データに符号画像を合成する方法である。この場合は、ドキュメントの画像に符号画像を合成するときに、当該合成する符号画像に関する情報（例えば電子透かしの種類等の情報）を、当該ドキュメントのデータに含めておく。また、第２の符号画像の合成方法は、ドキュメントの画像の生成指示が所定のＰＤＬ（Page Description Language）等で記述されている場合の合成方法である。この場合は、当該ドキュメントに、符号画像を生成させるための指示をＰＤＬで記述して含めることになる。
【００１７】
以下、それぞれの方法で符号画像が合成されているドキュメントごとの処理に分けて、制御部１１の処理の内容を説明する。まず上述の第１の方法で合成されている場合について説明する。この場合、制御部１１は、画像形成の対象として指定されたドキュメントのデータに符号画像に関する情報が含まれているか否かを調べる。そして、この情報が含まれていない場合は、当該指定されたドキュメントのデータと、当該ドキュメントの指定とともに受け入れられた設定指示とをそのまま、画像形成装置２に対して送信出力する。
【００１８】
また、指定されたドキュメントのデータに、符号画像に関する情報が含まれていた場合は、当該ドキュメントの指定とともに受け入れられた設定指示の少なくとも一部を予め定められている設定指示に変更する。具体的には、設定指示のうち、解像度は所定解像度に変更し、圧縮処理は「不可」と設定し、色変換処理については、ＲＧＢ化を「不可」とするなど、予め定められた値に設定する。なお、設定指示に含まれる各設定項目について、その設定内容が予め定められた条件を満足しない場合に、その設定項目の設定値を変更することとしてもよい。例えば、解像度が所定解像度未満である場合は、当該解像度の設定値を、所定解像度に設定することとしてもよい。そして制御部１１は、この変更後の設定指示と、ドキュメントのデータとを、画像形成装置２に対して送信出力する。
【００１９】
画像形成装置２では、設定指示とドキュメントのデータとを受信して、当該設定指示に基づいてドキュメントのデータを処理し、用紙等の記録媒体上に、ドキュメントの画像を形成する。
【００２０】
なお、符号画像の種類ごとに、設定指示の変更方法を異ならせることとしてもよい。例えば、符号画像が電子透かしである場合、非特許文献１にあるように、符号画像の種類として、濃度パターン法や、ディザ処理法等、多くの種類がある。そこで、例えばドキュメントに符号画像としての電子透かしを合成する際に、当該符号画像に関する情報として電子透かしの種類の情報を、ドキュメントデータに含めておく。そして記憶部１２に、設定指示データベースとして、予め図３に示すようなテーブルを格納しておく。このテーブルには、符号画像の種類に関する情報に対して、設定指示の変更内容を表す情報を関連付けたものである。そして制御部１１は、処理の対象となったドキュメントのデータに含まれる符号画像の種類に関する情報をキーとして、設定指示データベースを参照し、当該キーに関連づけられている設定指示の変更内容に基づいて、受け入れた設定指示を変更することになる。
【００２１】
次に、第２の方法で符号画像が合成されている場合の制御部１１の処理について説明する。この場合、制御部１１は、画像形成の対象として指定されたドキュメントのデータに符号画像を生成する指示が含まれているか否かを調べる。そして、この指示が含まれていない場合は、当該指定されたドキュメントのデータと、当該ドキュメントの指定とともに受け入れられた設定指示とをそのまま、画像形成装置２に対して送信出力する。
【００２２】
また、指定されたドキュメントのデータに、符号画像を生成する指示が含まれていた場合は、当該ドキュメントの指定とともに受け入れられた設定指示の少なくとも一部を予め定められている設定指示に変更する。そして制御部１１は、この変更後の設定指示と、ドキュメントのデータとを、画像形成装置２に対して送信出力する。この場合も、符号画像の種類をその生成指示に基づいて判別し、図３に示した設定指示データベースを参照して、符号画像の種類に応じて設定指示の変更内容を制御してもよい。具体的に、符号画像の種類の判別の方法としては、生成指示に、符号画像の種類を記述したコメントを含めておき、当該コメントを参照して判別を行うなどの処理で構わない。
【００２３】
さらにこの場合に、画像処理装置１の制御部１１は、画像形成装置２が、変更後の設定指示に対応しているか否かを調べ、対応していない場合に、所定処理を実行してもよい。すなわち、制御部１１は、例えば解像度の設定値を所定解像度に変更したときに、画像形成装置２が、当該所定解像度での画像形成を行うことができるか否か（対応しているか否か）を調べる。そして、画像形成装置２が、当該所定解像度での画像形成を行うことがでない場合（対応していない場合）に、符号画像の生成指示を削除したドキュメントデータを生成する。そして、当該符号画像を除去したドキュメントデータと、当該ドキュメントの指定とともに受け入れた（つまり変更前の）設定指示とを画像形成装置２に送信出力する。
【００２４】
なお、ここでは符号画像を除去することとしているが、符号画像の生成指示に代えて、符号画像の部分に対応する領域を黒塗りにするなど、符号画像でないことが外見上明らかな画像を合成する指示に書き替えてもよい。
【００２５】
さらに、制御部１１は、この所定処理に代えて、またはこの所定処理を行うとともに、表示部１４に対して符号画像を有効に印刷することができない旨の警告文などを表示するようにしてもよい。
【００２６】
さらに制御部１１は、ドキュメントのデータがＰＤＬで記述されている場合は、当該記述に基づくビットマップ画像を、設定指示（変更した場合は、変更後のもの）に対応した処理により生成してもよい。つまり、この場合は、解像度や色変換処理の設定指示に対応した処理が、制御部１１によって行われることになる。そして制御部１１は、この生成したビットマップ画像を、画像形成装置２に対して送信出力する。この場合、画像形成装置２は、当該ビットマップ画像に基づいて、そのまま画像形成を行うこととなり、実質的な画像処理は、画像形成装置２側では行われない。
【００２７】
これらの処理により、本実施の形態によれば、利用者が設定変更を行うことなく、制御部１１によって設定変更が行われることとなるので、利用者の操作の利便性を向上できる。
【図面の簡単な説明】
【００２８】
【図１】本発明の実施の形態に係る画像処理装置の構成ブロック図である。
【図２】画像形成の指示の一例を表す説明図である。
【図３】設定指示データベースの一例を表す説明図である。
【符号の説明】
【００２９】
１  画像処理装置、２  画像形成装置、１１  制御部、１２  記憶部、１３  操作部、１４  表示部、１５  通信部。
【図１】
2006087043.tif 000003
【図２】
2006087043.tif 000004
【図３】
2006087043.tif 000005